(57)【要約】【課題】  積み木ブロック及びその組立構造を提供することを課題とする。【解決手段】  積み木ブロック及びその組立構造であって、積み木ブロックの一面は第１連結面（１）であり、他の面が第２連結面（２）であり、第１連結面（１）に凸部（１２）と凹部（１１）が設けられ、第２連結面（２）に凹部（１１）が設けられ、凸部（１２）と第１連結面（１）及び第２連結面上の凹部（１１）とはいずれも互に差し込むことができる。上記構造及びその拡張によれば、少なくとも積み木ブロックを６種に分けることができ、構造において各々異なる。該積み木ブロック及びその組立構造は、幅広く適用され、面白みが強く、容易に普及して使用する。【選択図】  図１2019503267.tif 000003
2019503267.tif 000002
【特許請求の範囲】
【請求項１】
一面は第１連結面であり、他の面が第２連結面であり、前記第１連結面に凸部と凹部が設けられ、前記第２連結面に凹部が設けられ、前記凸部と前記第１連結面及び前記第２連結面上の前記凹部とは、いずれも互いに差し込むことができることを特徴とする、積み木ブロック。
【請求項２】
第１種積み木ブロックを含み、正六面体構造であり、１つの第１連結面及び５つの第２連結面に分けられ、前記第１連結面の２つの対角線上に第１種凸部が設けられ、別の２つの対角線上に第１種凹部が設けられ；
各前記第２連結面上に４つの前記第１種凹部は均一に分布され；
前記第１種凸部と前記第１連結面及び前記第２連結面上の前記第１種凹部とは、いずれも互いに差し込むことができ；
各前記第１種凹部の四隅上に第１種差込穴が設けられることを特徴とする、請求項１に記載の積み木ブロック。
【請求項３】
第２種積み木ブロックを更に含み、正六面体構造であり、１つの第１連結面及び５つの第２連結面に分けられ、前記第１、第２連結面が前記第１種積み木ブロックの前記第１、第２連結面に比べると、中心部に円形貫通穴が増設されることを特徴とする、請求項２に記載の積み木ブロック。
【請求項４】
第３種積み木ブロックを更に含み、正六面体構造であり、１つの第１連結面及び５つの第２連結面に分けられ、前記第１連結面が前記第１種積み木ブロックの前記第１連結面に比べると、前記第１種凸部の四隅に１個の第１種差込穴が増設され、前記第２連結面が前記第１種積み木ブロックの前記第２連結面と同じであることを特徴とする、請求項２に記載の積み木ブロック。
【請求項５】
第４種積み木ブロックを更に含み、正六面体構造であり、１つの第１連結面及び５つの第２連結面に分けられ、前記第１連結面の２つの対角線上に第４種凸部が設けられ、別の２つの対角線上に第４種凹部が設けられ；
各前記第２連結面上に４つの前記第４種凹部は均一に分布され；
前記第４種凸部と前記第１連結面及び前記第２連結面上の前記第４種凹部とは、いずれも互いに差し込むことができ；
前記第４種凸部と前記第１種差込穴とは、互いに差し込むことができることを特徴とする、請求項２に記載の積み木ブロック。
【請求項６】
第５種積み木ブロックを更に含み、正六面体構造であり、１つの第１連結面及び５つの第２連結面に分けられ、前記第１、第２連結面が前記第４種積み木ブロックの前記第１、第２連結面に比べると、中心部に第５種凹部が増設され；
前記第５種凹部と前記第１種凸部とは、互いに差し込むことができることを特徴とする、請求項５に記載の積み木ブロック。
【請求項７】
第６種積み木ブロックを更に含み、正六面体構造であり、１つの第１連結面及び５つの第２連結面に分けられ、前記第１、第２連結面が前記第４種積み木ブロックの前記第１、第２連結面に比べると、中心部に第６種貫通穴が増設され；
前記第６種貫通穴と前記第１種凸部とは、互いに差し込むことができることを特徴とする、請求項５に記載の積み木ブロック。
【請求項８】
以下の幾つかの種類を包括し、
組立構造一：第１種積み木ブロック、第２種積み木ブロック及び第３種積み木ブロックのうちのいずれか一つ積み木ブロックの第１連結面と別の積み木ブロックの第２連結面は、完全に重ね合わせ、前記第１連結面上の第１種凸部と前記第２連結面上の第１種凹部が差し込み；
組立構造二：第１種積み木ブロック、第２種積み木ブロック及び第３種積み木ブロックのうちのいずれか一つ積み木ブロックの第１連結面と別の積み木ブロックの第１連結面は、完全に重ね合わせ、２つの前記第１連結面上の第１種凸部と第１種凹部が対応して差し込み；
組立構造三：第１種積み木ブロック、第２種積み木ブロック及び第３種積み木ブロックのうちのいずれか二つ積み木ブロックが並列に置かれ、２つの隣り合いかつ同一でない積み木ブロック上の第１種凹部と別の積み木ブロック第１連結面上の２個の第１種凸部が対応して差し込み；
組立構造四：第１種積み木ブロック、第２種積み木ブロック及び第３種積み木ブロックのうちのいずれか一つ積み木ブロックの６つの連結面は、同時に前記第１種積み木ブロック、前記第２種積み木ブロック及び前記第３種積み木ブロックのうちのいずれか六つ積み木ブロックと対応して差し込むことができる、
ことを特徴とする請求項２〜７のいずれか一項に記載の積み木ブロックの組立構造。
【請求項９】
以下の幾つかの種類を更に包括し、
組立構造五：第４種積み木ブロック、第５種積み木ブロック及び第６種積み木ブロックのうちのいずれか一つ積み木ブロックの第１連結面と別の積み木ブロックの第２連結面は、完全に重ね合わせ、前記第１連結面上の第４種凸部と前記第２連結面上の第４種凹部とが差し込み；
組立構造六：第４種積み木ブロック、第５種積み木ブロック及び第６種積み木ブロックのうちのいずれか一つ積み木ブロックの第１連結面と別の積み木ブロックの第１連結面は、完全に重ね合わせ、２つの前記第１連結面上の第４種凸部と第４種凹部が対応して差し込み；
組立構造七：第４種積み木ブロック、第５種積み木ブロック及び第６種積み木ブロックのうちのいずれか二つ積み木ブロックが並列に置かれ、２つの隣り合いかつ同一でない積み木ブロック上の第４種凹部と別の積み木ブロック第１連結面上の２個の第４種凸部が対応して差し込み；
組立構造八：第４種積み木ブロック、第５種積み木ブロック及び第６種積み木ブロックのうちのいずれか一つ積み木ブロックの６つの連結面は、同時に前記第４種積み木ブロック、前記第５種積み木ブロック及び前記第６種積み木ブロックのうちのいずれか六つ積み木ブロックと対応して差し込むことができる、
ことを特徴とする請求項８に記載の積み木ブロックの組立構造。
【請求項１０】
以下の幾つかの種類を更に包括し、
組立構造九：第４種積み木ブロック、第５種積み木ブロック及び第６種積み木ブロックのうちのいずれか一つ積み木ブロックの第１連結面上の２個の第４種凸部と第１種積み木ブロック、第２種積み木ブロック及び第３種積み木ブロックのいずれか積み木ブロックのうちのいずれか一つ連結面上のうちのいずれか二つ対角線上に設けられた第１種差込穴とは、嵌め合い；
組立構造十：第１種積み木ブロック、第２種積み木ブロック及び第３種積み木ブロックのうちのいずれか二つ積み木ブロックが並列に置かれ、２つの隣り合いかつ同一でない積み木ブロック上の対角線上に設けられた第１種差込穴と第４種積み木ブロック、第５種積み木ブロック及び第６種積み木ブロックのうちのいずれか一つ積み木ブロックの第１連結面上の２個の第４種凸部とは、嵌め合い；
組立構造十一：第５種積み木ブロックのうちのいずれか一つ第２連結面上の第５種凹部と第１種積み木ブロック、第２種積み木ブロック及び第３種積み木ブロックのうちのいずれか一つ積み木ブロックの第１連結面上の１個の第１種凸部とは、嵌め合い；
組立構造十二：第５種積み木ブロックの第１連結面上の第５種凹部と第３種積み木ブロックの第１連結面上の１個第１種凸部とは、嵌め合い；
組立構造十三：第６種積み木ブロックのうちのいずれか一つ第２連結面上の第６種貫通穴と第１種積み木ブロック、第２種積み木ブロック及び第３種積み木ブロックのうちのいずれか一つ積み木ブロックの第１連結面上の１個の第１種凸部とは、嵌め合い；
組立構造十四：第６種積み木ブロックの第１連結面上の第６種貫通穴と第３種積み木ブロックの第１連結面上の１個の第１種凸部とは、嵌め合う、
ことを特徴とする請求項８に記載の積み木ブロックの組立構造。
【発明の詳細な説明】
【技術分野】
【０００１】
本発明は、積み木ブロック技術分野に関し、特に、積み木ブロック及びその組立構造に関する。
【背景技術】
【０００２】
積み木ブロックは、通常立体の木製又はプラスチック製固体玩具であり、一般的に各面に文字や絵が入れ、異なる配列又は建設活動を行うことができる。積み木ブロックは、様々なモデルがあり、建物、各種動物等として組み合わせることができ、子供の頭脳開発も促進させることができる。
【０００３】
積み木ブロックは、知能的発達を促進し、子供の手と目のコーディネーション能力を訓練し、積み木ブロック内の配列、結合、環形、対称性等が子供の知能にとって利点を有する。積み木ブロックを組み合わせる時、子供は比率、対称性等に及び、これは子供の数学の概念の早期育成に有利になる。
【０００４】
積み木ブロックは、子供の想像力発揮に有利となり、多種異種積み木ブロックを運用して共同で構造物を築き、子供の想像力及び創造力の育成に有利となる。
【０００５】
従来技術内の積み木ブロックは、組み合わせ方式が単一で、面白みが低い等の欠点を存在している。本発明は、この技術的課題を解決するために設計される。
【発明の概要】
【発明が解決しようとする課題】
【０００６】
発明が解決しようとする課題は、組み合わせ方式が多様で、面白みが良い積み木ブロック及びその組立構造を提供することである。
【課題を解決するための手段】
【０００７】
上記技術的課題を解決するため、本発明の実施例は積み木ブロックを提供しており、一面は第１連結面であり、他の面が第２連結面であり、前記第１連結面に凸部と凹部が設けられ、前記第２連結面に凹部が設けられ、前記凸部と第１連結面及び第２連結面上の凹部とはいずれも互いに差し込むことができる。
【０００８】
好適では、上記積み木ブロックは、第１種積み木ブロックを含み、正六面体構造であり、１つの第１連結面及び５つの第２連結面に分けられ、前記第１連結面の２つの対角線上に第１種凸部が設けられ、別の２つの対角線上に第１種凹部が設けられ；
各前記第２連結面上に４つの第１種凹部は均一に分布され；
前記第１種凸部と第１連結面及び第２連結面上の第１種凹部とは、いずれも互いに差し込むことができ；
各前記第１種凹部の四隅上に第１種差込穴が設けられる。
【０００９】
上記積み木ブロックは、第２種積み木ブロックを更に含み、正六面体構造であり、１つの第１連結面及び５つの第２連結面に分けられ、前記第１、第２連結面が第１種積み木ブロックの第１、第２連結面に比べると、中心部に円形貫通穴が増設される。
【００１０】
上記積み木ブロックは、第３種積み木ブロックを更に含み、正六面体構造であり、１つの第１連結面及び５つの第２連結面に分けられ、前記第１連結面が第１種積み木ブロックの第１連結面に比べると、第１種凸部の四隅に１個の第１種差込穴が増設され、前記第２連結面が第１種積み木ブロックの第２連結面と同じである。
【００１１】
上記積み木ブロックは、第４種積み木ブロックを更に含み、正六面体構造であり、１つの第１連結面及び５つの第２連結面に分けられ、前記第１連結面の２つの対角線上に第４種凸部が設けられ、別の２つの対角線上に第４種凹部が設けられ；
各前記第２連結面上に４つの第４種凹部は均一に分布され；
前記第４種凸部と第１連結面及び第２連結面上の第４種凹部とは、いずれも互いに差し込むことができ；
前記第４種凸部と第１種差込穴とは、互いに差し込むことができる。
【００１２】
上記積み木ブロックは、第５種積み木ブロックを更に含み、正六面体構造であり、１つの第１連結面及び５つの第２連結面に分けられ、前記第１、第２連結面が第４種積み木ブロックの第１、第２連結面に比べると、中心部に第５種凹部が増設され；
前記第５種凹部と第１種凸部とは、互いに差し込むことができる。
【００１３】
上記積み木ブロックは、第６種積み木ブロックを更に含み、正六面体構造であり、１つの第１連結面及び５つの第２連結面に分けられ、前記第１、第２連結面が第４種積み木ブロックの第１、第２連結面に比べると、中心部に第６種貫通穴が増設され；
前記第６種貫通穴と第１種凸部とは、互いに差し込むことができる。
【００１４】
本発明の実施例は、上記積み木ブロックの組立構造を提供し、以下の幾つかの種類を包括する。
組立構造一：第１種積み木ブロック、第２種積み木ブロック及び第３種積み木ブロックのうちのいずれか一つ積み木ブロックの第１連結面と別の積み木ブロックの第２連結面は、完全に重ね合わせ、第１連結面上の第１種凸部と第２連結面上の第１種凹部が差し込み；
組立構造二：第１種積み木ブロック、第２種積み木ブロック及び第３種積み木ブロックのうちのいずれか一つ積み木ブロックの第１連結面と別の積み木ブロックの第１連結面は、完全に重ね合わせ、２つの第１連結面上の第１種凸部と第１種凹部が対応して差し込み；
組立構造三：第１種積み木ブロック、第２種積み木ブロック及び第３種積み木ブロックのうちのいずれか二つ積み木ブロックが並列に置かれ、２つの隣り合いかつ同一でない積み木ブロック上の第１種凹部と別の積み木ブロック第１連結面上の２個の第１種凸部が対応して差し込み；
組立構造四：第１種積み木ブロック、第２種積み木ブロック及び第３種積み木ブロックのうちのいずれか一つ積み木ブロックの６つの連結面は、同時に第１種積み木ブロック、第２種積み木ブロック及び第３種積み木ブロックのうちのいずれか六つ積み木ブロックと対応して差し込むことができる。
【００１５】
上記積み木ブロックの組立構造は、以下の幾つか種類を更に包括する。
組立構造五：第４種積み木ブロック、第５種積み木ブロック及び第６種積み木ブロックのうちのいずれか一つ積み木ブロックの第１連結面と別の積み木ブロックの第２連結面は、完全に重ね合わせ、第１連結面上の第４種凸部と第２連結面上の第４種凹部とが差し込み；
組立構造六：第４種積み木ブロック、第５種積み木ブロック及び第６種積み木ブロックのうちのいずれか一つ積み木ブロックの第１連結面と別の積み木ブロックの第１連結面は、完全に重ね合わせ、２つの第１連結面上の第４種凸部と第４種凹部が対応して差し込み；
組立構造七：第４種積み木ブロック、第５種積み木ブロック及び第６種積み木ブロックのうちのいずれか二つ積み木ブロックが並列に置かれ、２つの隣り合いかつ同一でない積み木ブロック上の第４種凹部と別の積み木ブロック第１連結面上の２個の第４種凸部が対応して差し込み；
組立構造八：第４種積み木ブロック、第５種積み木ブロック及び第６種積み木ブロックのうちのいずれか一つ積み木ブロックの６つの連結面は、同時に第４種積み木ブロック、第５種積み木ブロック及び第６種積み木ブロックのうちのいずれか六つ積み木ブロックと対応して差し込むことができる。
【００１６】
上記積み木ブロックの組立構造は、以下の幾つか種類を更に包括する。
組立構造九：第４種積み木ブロック、第５種積み木ブロック及び第６種積み木ブロックのうちのいずれか一つ積み木ブロックの第１連結面上の２個の第４種凸部と第１種積み木ブロック、第２種積み木ブロック及び第３種積み木ブロックのいずれか積み木ブロックのうちのいずれか一つ連結面上のうちのいずれか二つ対角線上に設けられた第１種差込穴とは、嵌め合い；
組立構造十：第１種積み木ブロック、第２種積み木ブロック及び第３種積み木ブロックのうちのいずれか二つ積み木ブロックが並列に置かれ、２つの隣り合いかつ同一でない積み木ブロック上の対角線上に設けられた第１種差込穴と第４種積み木ブロック、第５種積み木ブロック及び第６種積み木ブロックのうちのいずれか一つ積み木ブロックの第１連結面上の２個の第４種凸部とは、嵌め合い；
組立構造十一：第５種積み木ブロックのうちのいずれか一つ第２連結面上の第５種凹部と第１種積み木ブロック、第２種積み木ブロック及び第３種積み木ブロックのうちのいずれか一つ積み木ブロックの第１連結面上の１個の第１種凸部とは、嵌め合い；
組立構造十二：第５種積み木ブロックの第１連結面上の第５種凹部と第３種積み木ブロックの第１連結面上の１個第１種凸部とは、嵌め合い；
組立構造十三：第６種積み木ブロックのうちのいずれか一つ第２連結面上の第６種貫通穴と第１種積み木ブロック、第２種積み木ブロック及び第３種積み木ブロックのうちのいずれか一つ積み木ブロックの第１連結面上の１個の第１種凸部とは、嵌め合い；
組立構造十四：第６種積み木ブロックの第１連結面上の第６種貫通穴と第３種積み木ブロックの第１連結面上の１個の第１種凸部とは、嵌め合う。
【発明の効果】
【００１７】
本発明に係る積み木ブロック及びその組立構造は、幅広く適用され、面白みが強く、容易に普及して使用する。
【００１８】
以下、添付図面及び具体的実施例を組み合わせて本発明を詳細に記述するが、本発明を限定することではない。
【図面の簡単な説明】
【００１９】
【図１】本発明における第１種積み木ブロックの構造を示す模式図である。
【図２】本発明における第２種積み木ブロックの構造を示す模式図である。
【図３】本発明における第３種積み木ブロックの構造を示す模式図である。
【図４】本発明における第４種積み木ブロックの構造を示す模式図である。
【図５】本発明における第５種積み木ブロックの構造を示す模式図である。
【図６】本発明における第６種積み木ブロックの構造を示す模式図である。
【図７】本発明における組立構造一の構造を示す模式図である。
【図８】本発明における組立構造二の構造を示す模式図である。
【図９】本発明における組立構造三の構造を示す模式図である。
【図１０】本発明における組立構造四の構造を示す模式図である。
【図１１】本発明における組立構造五の構造を示す模式図である。
【図１２】本発明における組立構造六の構造を示す模式図である。
【図１３】本発明における組立構造七の構造を示す模式図である。
【図１４】本発明における組立構造八の構造を示す模式図である。
【図１５】本発明における組立構造九の構造を示す模式図である。
【図１６】本発明における組立構造十の構造を示す模式図である。
【図１７】本発明における組立構造十一の構造を示す模式図である。
【図１８】本発明における組立構造十二の構造を示す模式図である。
【図１９】本発明における組立構造十三の構造を示す模式図である。
【図２０】本発明における組立構造十四の構造を示す模式図である。
【図２１】本発明における積み木ブロックは、等辺三角柱の場合の構造を示す模式図である。
【図２２】本発明における積み木ブロックは、直角二等辺三角柱の場合の構造を示す模式図である。
【図２３】本発明における積み木ブロックは、長方体の場合の構造を示す模式図である。
【図２４】本発明における積み木ブロックは、内方へ凹入した直角三角柱の場合の構造を示す模式図である。
【図２５】本発明における積み木ブロックは、４分の１の円柱体の場合の構造を示す模式図である。
【図２６】本発明における積み木ブロックは、Ｌ形プレートの場合の構造を示す模式図である。
【図２７】本発明における積み木ブロックは、直形プレートの場合の構造を示す模式図である。
【図２８】本発明における積み木ブロックは、半球体の場合の構造を示す模式図である。
【図２９】本発明における積み木ブロックは、底板一の場合の構造を示す模式図である。
【図３０】本発明における積み木ブロックは、底板二の場合の構造を示す模式図である。
【図３１】本発明における積み木ブロックは、関節一の場合の構造を示す模式図である。
【図３２】本発明における積み木ブロックは、関節二の場合の構造を示す模式図である。
【図３３】本発明における積み木ブロックは、車軸の場合の構造を示す模式図である。
【図３４】本発明における積み木ブロックは、回転部材の場合の構造を示す模式図である。
【図３５】本発明における積み木ブロックは、車輪一の場合の構造を示す模式図である。
【図３６】本発明における積み木ブロックは、車輪二の場合の構造を示す模式図である。
【発明を実施するための形態】
【００２０】
以下、本発明の目的、手段及び効果をより一層理解してもらうため、添付図面及び具体的実施例を組み合わせて本発明の技術的手段を詳細に記述するが、本発明に添付する特許請求の範囲の保護範囲を限定するものではない。
【００２１】
本発明は、従来の組み合わせ方式が単一で、面白みが低い等の課題について、積み木ブロック及びその組立構造を提供する。
【００２２】
本発明の実施例は積み木ブロックを提供しており、一面は第１連結面であり、他の面が第２連結面であり、前記第１連結面に凸部と凹部が設けられ、前記第２連結面に凹部が設けられ、前記凸部と第１連結面及び第２連結面上の凹部とはいずれも互いに差し込むことができる。
【００２３】
図１に示す第１種積み木ブロックは、正六面体構造であり、１つの第１連結面１及び５つの第２連結面２に分けられ、前記第１連結面１の２つの対角線上に第１種凸部１２が設けられ、別の２つの対角線上に第１種凹部１１が設けられ；
各前記第２連結面２上に４つの第１種凹部１１は均一に分布され；
前記第１種凸部１２と第１連結面１及び第２連結面２上の第１種凹部１１とは、いずれも互いに差し込むことができ；
各前記第１種凹部１１の四隅上に第１種差込穴１１１が設けられる。
【００２４】
図２に示す第２種積み木ブロックは、正六面体構造であり、１つの第１連結面１及び５つの第２連結面２に分けられ、前記第１、第２連結面が第１種積み木ブロックの第１、第２連結面に比べると、中心部に円形貫通穴１３が増設される。
【００２５】
図３に示す第３種積み木ブロックは、正六面体構造であり、１つの第１連結面１及び５つの第２連結面５に分けられ、前記第１連結面が第１種積み木ブロックの第１連結面に比べると、第１種凸部１２の四隅に１個の第１種差込穴１１１が増設され、前記第２連結面が第１種積み木ブロックの第２連結面と同じである。
【００２６】
図４に示す第４種積み木ブロックは、正六面体構造であり、１つの第１連結面１及び５つの第２連結面２に分けられ、前記第１連結面の２つの対角線上に第４種凸部１４が設けられ、別の２つの対角線上に第４種凹部１５が設けられ；
各前記第２連結面上に４つの第４種凹部１５は均一に分布され；
前記第４種凸部１４と第１連結面及び第２連結面上の第４種凹部１５とは、いずれも互いに差し込むことができ；
前記第４種凸部１４と第１種差込穴１１１とは、互いに差し込むことができる。
【００２７】
図５に示す第５種積み木ブロックは、正六面体構造であり、１つの第１連結面１及び５つの第２連結面２に分けられ、前記第１、第２連結面が第４種積み木ブロックの第１、第２連結面に比べると、中心部に第５種凹部１６が増設され；
前記第５種凹部１６と第１種凸部１２とは、互いに差し込むことができる。
【００２８】
図６に示す第６種積み木ブロックは、正六面体構造であり、１つの第１連結面１及び５つの第２連結面２に分けられ、前記第１、第２連結面が第４種積み木ブロックの第１、第２連結面に比べると、中心部に第６種貫通穴１７が増設され；
前記第６種貫通穴１７と第１種凸部１２とは、互いに差し込むことができる。
【００２９】
本発明の実施例は、積み木ブロックの組立構造を提供し、以下の幾つかの種類を包括する。
【００３０】
図７に示す組立構造一：第１種積み木ブロック、第２種積み木ブロック及び第３種積み木ブロックのうちのいずれか一つ積み木ブロックの第１連結面と別の積み木ブロックの第２連結面は、完全に重ね合わせ、第１連結面上の第１種凸部と第２連結面上の第１種凹部が差し込む。
【００３１】
図８に示す組立構造二：第１種積み木ブロック、第２種積み木ブロック及び第３種積み木ブロックのうちのいずれか一つ積み木ブロックの第１連結面と別の積み木ブロックの第１連結面は、完全に重ね合わせ、２つの第１連結面上の第１種凸部と第１種凹部が対応して差し込む。
【００３２】
図９に示す組立構造三：第１種積み木ブロック、第２種積み木ブロック及び第３種積み木ブロックのうちのいずれか二つ積み木ブロックが並列に置かれ、２つの隣り合いかつ同一でない積み木ブロック上の第１種凹部と別の積み木ブロック第１連結面上の２個の第１種凸部が対応して差し込む。
【００３３】
図１０に示す組立構造四：第１種積み木ブロック、第２種積み木ブロック及び第３種積み木ブロックのうちのいずれか一つ積み木ブロックの６つの連結面は、同時に第１種積み木ブロック、第２種積み木ブロック及び第３種積み木ブロックのうちのいずれか六つ積み木ブロックと対応して差し込むことができる。
【００３４】
図１１に示す組立構造五：第４種積み木ブロック、第５種積み木ブロック及び第６種積み木ブロックのうちのいずれか一つ積み木ブロックの第１連結面と別の積み木ブロックの第２連結面は、完全に重ね合わせ、第１連結面上の第４種凸部と第２連結面上の第４種凹部とが差し込む。
【００３５】
図１２に示す組立構造六：第４種積み木ブロック、第５種積み木ブロック及び第６種積み木ブロックのうちのいずれか一つ積み木ブロックの第１連結面と別の積み木ブロックの第１連結面は、完全に重ね合わせ、２つの第１連結面上の第４種凸部と第４種凹部が対応して差し込む。
【００３６】
図１３に示す組立構造七：第４種積み木ブロック、第５種積み木ブロック及び第６種積み木ブロックのうちのいずれか二つ積み木ブロックが並列に置かれ、２つの隣り合いかつ同一でない積み木ブロック上の第４種凹部と別の積み木ブロック第１連結面上の２個の第４種凸部が対応して差し込む。
【００３７】
図１４に示す組立構造八：第４種積み木ブロック、第５種積み木ブロック及び第６種積み木ブロックのうちのいずれか一つ積み木ブロックの６つの連結面は、同時に第４種積み木ブロック、第５種積み木ブロック及び第６種積み木ブロックのうちのいずれか六つ積み木ブロックと対応して差し込むことができる。
【００３８】
図１５（ａ）、（ｂ）、（ｃ）及び（ｄ）に示す組立構造九：第４種積み木ブロック、第５種積み木ブロック及び第６種積み木ブロックのうちのいずれか一つ積み木ブロックの第１連結面上の２個の第４種凸部と第１種積み木ブロック、第２種積み木ブロック及び第３種積み木ブロックのいずれか積み木ブロックのうちのいずれか一つ連結面上のうちのいずれか二つ対角線上に設けられた第１種差込穴とは、嵌め合う。
【００３９】
図１６に示す組立構造十：第１種積み木ブロック、第２種積み木ブロック及び第３種積み木ブロックのうちのいずれか二つ積み木ブロックが並列に置かれ、２つの隣り合いかつ同一でない積み木ブロック上の対角線上に設けられた第１種差込穴と第４種積み木ブロック、第５種積み木ブロック及び第６種積み木ブロックのうちのいずれか一つ積み木ブロックの第１連結面上の２個の第４種凸部とは、嵌め合う。
【００４０】
図１７に示す組立構造十一：第５種積み木ブロックのうちのいずれか一つ第２連結面上の第５種凹部と第１種積み木ブロック、第２種積み木ブロック及び第３種積み木ブロックのうちのいずれか一つ積み木ブロックの第１連結面上の１個の第１種凸部とは、嵌め合う。
【００４１】
図１８に示す組立構造十二：第５種積み木ブロックの第１連結面上の第５種凹部と第３種積み木ブロックの第１連結面上の１個第１種凸部とは、嵌め合う。
【００４２】
図１９に示す組立構造十三：第６種積み木ブロックのうちのいずれか一つ第２連結面上の第６種貫通穴と第１種積み木ブロック、第２種積み木ブロック及び第３種積み木ブロックのうちのいずれか一つ積み木ブロックの第１連結面上の１個の第１種凸部とは、嵌め合う。
【００４３】
図２０に示す組立構造十四：第６種積み木ブロックの第１連結面上の第６種貫通穴と第３種積み木ブロックの第１連結面上の１個の第１種凸部とは、嵌め合う。
【００４４】
本実施例の積み木ブロックは、上記例を挙げた正六面体構造以外に、等辺三角柱（図２１）、直角二等辺三角柱（図２２ａ、２２ｂ）、長方体（図２３）、内方へ凹入した直角三角柱（図２４）、４分の１の円柱体（図２５ａ、２５ｂ）、Ｌ形プレート（図２６）、直形プレート（図２７）、半球体（図２８ａ、２８ｂ）、底板一（図２９）、底板二（図３０ａ、３０ｂ）、関節一（図３１）、関節二（図３２）、車軸（図３３ａ、３３ｂ）、回転部材（図３４ａ、３４ｂ）、車輪一（図３５）、車輪二（図３６）に変更できる。またこの基礎上において組み合わせる多種類のアクセサリも追加できる。
【００４５】
当然、特定状況において第１連結面に１個の凸部又は複数の凸部が設けられ、第２連結面に１個凹部又は複数の凹部が設けられてもよい。
【００４６】
当然本発明は、更に他の多種多様な実施例があり、当該技術を熟知する者なら誰でも、本発明の精神と領域を脱しない範囲内で各種の変動や変形を加えることができるが、それらかかる変動や変形は本発明に添付する特許請求の範囲の保護範囲に属する。
【産業上の利用可能性】
【００４７】
本発明に係る積み木ブロック及びその組立構造は、幅広く適用され、面白みが強く、容易に普及して使用する。
【符号の説明】
【００４８】
１  第１連結面
１１  第１種凹部
１１１  第１種差込穴
１２  第１種凸部
１３  円形貫通穴
１４  第４種凸部
１５  第４種凹部
１６  第５種凹部
１７  第６種貫通穴
２  第２連結面
【図１】
2019503267.tif 000004
【図２】
2019503267.tif 000005
【図３】
2019503267.tif 000006
【図４】
2019503267.tif 000007
【図５】
2019503267.tif 000008
【図６】
2019503267.tif 000009
【図７】
2019503267.tif 000010
【図８】
2019503267.tif 000011
【図９】
2019503267.tif 000012
【図１０】
2019503267.tif 000013
【図１１】
2019503267.tif 000014
【図１２】
2019503267.tif 000015
【図１３】
2019503267.tif 000016
【図１４】
2019503267.tif 000017
【図１５】
2019503267.tif 000018
【図１６】
2019503267.tif 000019
【図１７】
2019503267.tif 000020
【図１８】
2019503267.tif 000021
【図１９】
2019503267.tif 000022
【図２０】
2019503267.tif 000023
【図２１】
2019503267.tif 000024
【図２２】
2019503267.tif 000025
【図２３】
2019503267.tif 000026
【図２４】
2019503267.tif 000027
【図２５】
2019503267.tif 000028
【図２６】
2019503267.tif 000029
【図２７】
2019503267.tif 000030
【図２８】
2019503267.tif 000031
【図２９】
2019503267.tif 000032
【図３０】
2019503267.tif 000033
【図３１】
2019503267.tif 000034
【図３２】
2019503267.tif 000035
【図３３】
2019503267.tif 000036
【図３４】
2019503267.tif 000037
【図３５】
2019503267.tif 000038
【図３６】
2019503267.tif 000039
【国際調査報告】
2019503267.tif 000040
2019503267.tif 000041
2019503267.tif 000042
2019503267.tif 000043